(57)【特許請求の範囲】
【請求項１】
充填材上に微生物を保持した充填床に、散水による湿潤状態下で排ガスを通気して接触させることにより、排ガス中の揮発性有機化合物及び／又は無機性悪臭物質を除去する方法において、間欠的に、前記充填床に対して、散水を行うと同時に、散水と並流方向になる下降流で、前記排ガスを充填床出口の処理ガス及び／又は系外ガスとともに導入して前記排ガスより高い流速で通気させて、過剩量の微生物を前記充填材から除去することを特徴とする排ガスの生物学的処理方法。
【請求項２】
充填材上に微生物を保持した充填床に、散水による湿潤状態下で排ガスを通気して接触させることにより、排ガス中の揮発性有機化合物及び／又は無機性悪臭物質を除去する方法において、前記充填床の微生物量が過剩となれば、散水を行うと同時に、散水と並流方向になる下降流で、前記排ガスを充填床出口の処理ガス及び／又は系外ガスとともに前記排ガスより高い流速で通気させて、過剩量の微生物を前記充填材から除去することを特徴とする排ガスの生物学的処理方法。
【請求項３】
前記充填床の微生物菌体の付着による圧力損失を測定し、該充填床の微生物量を認識することを特徴とする請求項２に記載の排ガスの生物学的処理方法。
【請求項４】
充填材上に微生物を保持した充填床に、散水手段による湿潤状態下で排ガスを通気して接触させ、排ガス中の揮発性有機化合物及び／又は無機性悪臭物質を除去する装置において、間欠的に、前記充填床に対して、前記散水と同時に前記排ガスを充填床出口の処理ガス及び／又は系外ガスとともに前記散水と並流方向になる下降流で、前記排ガスより高い流速で導入する手段を配備したことを特徴とする排ガスの生物学的処理装置。
【請求項５】
前記充填床の微生物菌体の付着による圧力損失を測定する手段を配備したことを特徴とする請求項４に記載の排ガスの生物学的処理装置。
【発明の詳細な説明】
【０００１】
【発明の属する技術分野】
本発明は排ガスの生物学的処理方法及び排ガスの生物学的処理装置に関し、更に詳しくは、塗装工場、鋳造工場、印刷工場及びフィルム製造工場などから排出されるトルエン、ベンゼン、イソプロパノール、ＭＩＢＫ、アセトン及びアクリロニトリル等の揮発性有機化合物を含有する排ガス、及び下水処理場、汚泥処理場及びし尿処理場などの硫化水素及びアンモニア等の無機性の悪臭物質を微生物で生物学的に分解して除去する技術に関する。
【０００２】
【従来の技術】
生物処理は処理すべき対象物質の濃度が比較的低濃度である場合に用いられている。これは、中、高濃度の揮発性有機化合物を含有する排ガスの場合、燃焼法のエネルギー効率が高くなること、生物処理装置は装置容積当りの処理能力が低いため装置の設置スペースが大きくなること、充填層内が生物の屍骸及び老廃物などによって閉塞することが主な原因であると考えられる。
生物処理装置内では生物学的作用で排ガス中の物質が処理される。従って、装置容積当りの処理能力を高めるためには、「生物の活性を高めること」「生物濃度を高めること」が有効である。
【０００３】
生物濃度を高めるためには比表面積が高く、同時に、空隙率の高い担体を用いることが効果的である。本発明の出願人は「生物脱臭装置及び方法」（特公平６−９１０３４）において、内部に連通空間を有するスポンジ状のウレタンフォームを用いた生物処理方法に関する特許を取得している。
この方法は下水処理場等で発生する比較的低濃度の硫黄系の悪臭物質に対して優れた除去性能を示した。下水処理場における悪臭の主成分は硫化水素であり、その濃度は多くの場合１０ppm未満である。数１０ppmを超える高濃度の硫化水素を含有する悪臭に対してこの方法を適用すると、充填層に増殖した菌体及び悪臭物質からの代謝産物によって充填層が閉塞し圧力損失が上昇するケースが認められた。
【０００４】
また、揮発性有機化合物を含有する工場排ガスの場合、揮発性有機化合物濃度は数１０ppm を超える高い濃度の排ガスを処理する必要がある。また、金川らは硫化水素が揮発性有機化合物と比較して理論酸素要求量あたりの菌体生成量が小さいことを指摘している。したがって、揮発性有機化合物を処理する場合、多量の菌体が生成し充填層が閉塞し易い。従って、過剰な菌体は担体から剥離させて除去しなければならない。
また、生物は悪臭物質及び揮発性有機化合物を除去する活性を維持するために窒素及びりん酸等の栄養塩類を必要とする。下水処理場では下水処理水中に栄養塩類が含まれるため、一般に栄養塩類は充填層に下水処理水を散布することによって供給する。しかし、揮発性有機化合物を含有する排ガスの発生する化学工場、印刷工場及び塗装工場などでは栄養塩を効果的に添加する必要がある。
【０００５】
そこで、本発明の出願者は「生物脱臭装置及び方法」（特公平６−９１０３４）の改良法として「揮発性有機化合物を含む排ガスの処理方法及び処理装置」を出願し、その中で、充填層に供給される揮発性有機化合物の負荷量に一定の値を乗じて散水する水に添加する窒素及びりん酸の供給量を算出して供給することにより高い処理能力を実現し、生成した菌体を間欠的な散水により剥離させ、剥離した菌体を濃縮して系外に排出することにより閉塞を防止して安定した運転を行うことを示した。
この方法は例えば３０ppmのトルエンでは有効に機能したが、１００ppm以上の高濃度のトルエンを処理したところ、長期間の運転により充填層内に累積した菌体により閉塞が発生し、この方法では菌体の剥離及び排出が十分に行えないことが明らかになった。さらに閉塞は充填層のガス流入口付近で発生することが分かった。これはガスが一過式で流れる場合、充填層入口から出口に向かって濃度勾配が形成され、その結果、入口付近で多量の菌体が増殖する為である。充填高さ別に付着菌体量を測定した結果、入口付近の菌体濃度が最も高く、出口に向かって低下することが明らかになった。言い換えると、入口付近に菌体が偏在し、これが閉塞の直接の原因となっていた。
また、ガスの流れ方向が上向流で、水の流れと交差する条件のとき、散水を行うと水が充填層の間に保持され、圧力損失の急激な上昇を招く場合が認められた。
【０００６】
【発明が解決しようとする課題】
１００ppm を超える高い濃度の揮発性有機化合物を含有する排ガスを生物処理装置を用いて効果的に処理する為には、さらに効率的に菌体を剥離、排出する必要がある。
菌体を効果的に排出する方法として以下の様な方法がある。
１）ガスの流れ方向を上昇流及び下降流に切り替えながら運転する。
２）充填層の中で多量の付着物が発生する部位に直接水流を当てて付着物を剥離させる。
３）充填層を上下２段とし、１段目は下向流とし２段目を上向流とする。
４）充填層に薬剤を散布し微生物を死滅させて剥離させる。
５）充填層を冠水させ、ばっ気により担体を浮遊させて付着物を剥離させる。
これらの方法はある程度の効果が認められるが、かならずしも十分な効果が得られるとは限らない。また、過剰に菌体を剥離、排出すると充填層内の菌体濃度が極度に低下し、その結果処理能力の低下を招く問題があった。
従って、本発明の目的は上記のような問題点を解決し、適正な菌体濃度を検知し、適正な菌体濃度を維持しながら、充填層を閉塞させる過剰分の菌体を剥離排出することにより、効率よくかつ安定した排ガスの生物学的処理方法および装置を提供することにある。
【０００７】
【課題を解決するための手段】
本発明者らは、菌体を排出する方法として、ガスの流れを水の流れに対して並行流（下降流）とし、付着物を剥離させたいときに、ガスの流速を平常時よりも高くし、同時に散水することによって付着物を剥離させる方法が効果的であることを見出した。
同時に、適正な菌体濃度を検知する方法として、下記の様な方法を見出した。
１）充填層の圧力損失を検知し、その値がある一定の範囲内にあるように制御しながら運転する；２）流入ガスと処理ガス中の除去対象物質濃度を検知し、除去された除去対象物質量に基づいて菌体増加量を算出し、その値と菌体の排出量が一致するように維持する。これらにより、本発明を完成するに到った。
【０００８】
すなわち、本発明は、
（１）  充填材上に微生物を保持した充填床に、散水による湿潤状態下で排ガスを通気して接触させることにより、排ガス中の揮発性有機化合物及び／又は無機性悪臭物質を除去する方法において、間欠的に、前記充填床に対して、散水を行うと同時に、散水と並流方向になる下降流で、前記排ガスを充填床出口の処理ガス及び／又は系外ガスとともに導入して前記排ガスより高い流速で通気させて、過剩量の微生物を前記充填材から除去することを特徴とする排ガスの生物学的処理方法。
（２）  充填材上に微生物を保持した充填床に、散水による湿潤状態下で排ガスを通気して接触させることにより、排ガス中の揮発性有機化合物及び／又は無機性悪臭物質を除去する方法において、前記充填床の微生物量が過剩となれば、散水を行うと同時に、散水と並流方向になる下降流で、前記排ガスを充填床出口の処理ガス及び／又は系外ガスとともに導入して前記排ガスより高い流速で通気させて、過剩量の微生物を前記充填材から除去することを特徴とする排ガスの生物学的処理方法。
【０００９】
（３）  前記通常通気より高い流速で通気するガスが、処理ガス及び／又は系外ガスを導入したものであることを特徴とする前記（１）又は（２）に記載の排ガスの生物学的処理方法。
（４）  前記通常通気より高い流速で通気するガスが、前記処理ガスを循環して導入したものであることを特徴とする前記（１）又は（２）に記載の排ガスの生物学的処理方法。
（５）  前記充填床の微生物菌体の付着による圧力損失を測定し、該充填床の微生物量を認識することを特徴とする前記（２）に記載の排ガスの生物学的処理方法。
（６）  前記排ガス中と、その処理ガス中の除去対象物質濃度を検知し、除去された除去対象物質量に基づいて、前記充填床の余剰微生物菌体発生量を算出することを特徴とする前記（２）に記載の排ガスの生物学的処理方法。
【００１０】
（７）  前記（５）または（６）に記載の菌体量測定方法により、通気ガス流速を高める時期及び／又は通常の通気ガス流速に復帰する時期を認識することを特徴とする前記（２）に記載の排ガスの生物学的処理方法。
（８）  前記充填床の微生物菌体の付着による圧力損失が１５ｍｍＨ2Ｏ／０．５ｍ未満の範囲になるように、排ガス処理することを特徴とする前記（５）に記載の排ガスの生物学的処理方法。
（９）  充填材上に微生物を保持した充填床に、散水手段による湿潤状態下で排ガスを通気して接触させ、排ガス中の揮発性有機化合物及び／又は無機性悪臭物質を除去する装置において、間欠的に、前記充填床に対して、前記散水と同時に前記排ガスを充填床出口の処理ガス及び／又は系外ガスとともに前記散水と並流方向になる下降流で、前記排ガスより高い流速で導入する手段を配備したことを特徴とする排ガスの生物学的処理装置。
（１０）  前記処理ガスを前記散水と並流方向になる下降流で導入する手段が、循環ブロワであることを特徴とする前記（９）に記載の排ガスの生物学的処理装置。
（１１）  前記充填床の微生物菌体の付着による圧力損失を測定する手段を配備したことを特徴とする前記（９）に記載の排ガスの生物学的処理装置である。
【００１１】
本発明の方法は水の流れ方向と同一方向にガス流を与えることにより、菌体の剥離を促進し、充填層の菌体濃度を一定に保つことにより、充填層の閉塞を防止しながら揮発性有機化合物及び無機性悪臭物質の高い除去率を維持でき、生物処理では比較的困難であると考えられていた高濃度の揮発性有機化合物及び無機性の悪臭物質を処理することができる。
【００１２】
【発明の実施の形態】
以下、本発明を詳細に説明する。
本発明の排ガスの生物学的処理装置の基本的構成および処理法を図面に基いて説明する。
図１は本発明の排ガスの生物学的処理装置の１例の断面図である。本発明者はこの装置を用いて、長期間の連続実験を行い、圧力損失と除去率の関係を明らかにした。装置は、処理塔２の中に生物担体を充填した充填層１を設け、この充填層１の下の貯水槽１２に工場排水処理場等の活性汚泥液を添加して、この貯水槽１２の活性汚泥液をくみ上げて充填層上部の散水装置３から散水して、生物担体に微生物を付着させた。散水は間欠的に行い、湿潤状態に維持させる。また、貯水槽１２には培溶液１３を供給した。培溶液１３は水道水に尿素、りん酸水素二ナトリウム及び硫酸第一鉄等を添加したものである。この液を充填層容積に応じて一定の流量で供給する。
【００１３】
流入ガス８を充填層上に設置した流入ガス入り口９から下降流で供給する。
充填層下部の循環ガス出口４から循環ガス５を送風機６で吸引し、充填層上に設置した循環ガス入り口７に処理ガス１０の一部を戻した。処理ガス１０は充填層下部の処理ガス出口１１から排出した。
なお、流入ガス８を充填層下に設置した流入ガス入り口から上向流で供給し、処理ガス１０は充填層上部の処理ガス出口から排出する場合もある。
【００１４】
なお、図１に示す装置を用いて、以下の予備実験を行った。
図１の生物学的処理装置において、処理塔２の中にスポンジ状の生物担体を５００mmの高さに充填し、散水を２０分毎に２分間、１０ml−水／リットル−ガスの条件で行い、培溶液１３として水道水に尿素１５０mg／リットル、りん酸水素二ナトリウム１０．２mg／リットル及び硫酸第一鉄５．４mg／リットルを添加したものを用いた。
【００１５】
一方、模擬排ガスとして、市販のトルエンに窒素ガスをばっ気してトルエン含有ガスを発生させ、コンプレッサーで供給した空気と混合して、約１００ppm のトルエン含有模擬排ガスを調製した。この模擬排ガスを流入ガス８として流入ガス入り口９から空塔速度５００ｈ-1（１５リットル/min）の流速で下降流で供給した。
【００１６】
実験の結果、充填層１の圧力損失が２〜１０mmH2O/0.5m程度までの範囲では、除去速度と圧力損失の間には明確な相関性は認められなかった。しかし、図３に示すように、圧力損失が１０〜１５mmH2O/0.5m付近の時、トルエン除去速度が最大となり、圧力損失が１５mmH2O/0.5mを上回る条件下では、トルエン除去速度は圧力損失の上昇に伴って低下する傾向が認められた。この結果から、圧力損失は１５mmH2O/0.5m以下で運転すべきであることが判った。
充填層の圧力損失は微生物菌体の付着量の増加に伴って上昇し、分解速度も上昇する。そして、分解能力はある一定の値まで上昇するものの、それ以上上昇しない。それに対して、圧力損失は分解能力の上昇が停止した後もさらに上昇し、最終的に充填層が閉塞し、それ以上の運転が継続できない状態に到達する。このことから、分解能力が最大となったときの圧力損失値は、その装置にとって最適の菌体付着量を示していると考えられる。従って、この圧力損失値付近で運転することによって、最大の分解能力で運転を継続することができると考えられる。
【００１７】
続いて、流入ガス８と処理ガス１０中の除去対象物質濃度を検知し、除去されたＶＯＣ（揮発性有機化合物）量に基づいて余剰菌体発生量を算出し、その値と菌体の排出量が一致するように維持する方法について解説する。
充填層内の菌体濃度を一定にすると、その時の余剰菌体発生量は下記式（１）で求められる。
ΔＸ＝ｅＳｒ−ｆＸ                （１）
〔式中、ΔＸ：余剰菌体発生量kg／m3−充填層・day 、
ｅ：菌体転換率、
Ｓｒ：トルエン除去量kg／m3−充填層・day 、
ｆ：自己酸化率、
Ｘ：菌体濃度kg／m3−充填層〕
この式中ののＸ（菌体濃度）に最適値をあてはめることにより、最適な余剰菌体発生量を算出し、この値に基づいて菌体を排出することによって最適な菌体濃度を維持する。
ここで、菌体転換率、自己酸化率及び最適な菌体濃度はそれぞれの物質及び装置の運転条件によって異なるため、あらかじめ実験によって明らかにしておく必要がある。
【００１８】
トルエン除去量は流入ガス中の揮発性有機化合物濃度及び処理ガス中の揮発性有機化合物濃度をガスクロマトグラフなどを用いて測定し、流入ガス中の揮発性有機化合物濃度から処理ガス中の揮発性有機化合物濃度を減じた値に風量の値を乗じ、その結果を充填層容積で除することによって計算する。
以上の方法により、最適な菌体濃度を維持するために最適な余剰菌体排出量が計算できる。菌体１５は通常の散水によって剥離され、水中に懸濁され、菌体分離槽に移行する。菌体分離槽で菌体を沈殿分離し上澄みを循環散水する。ここで、菌体を引き抜く量を最適な余剰菌体排出量と一致するように制御することによって充填層内の菌体濃度を最適値に維持する。
【００１９】
揮発性有機化合物の付加量がある程度の値以下であるときには、通常の散水で剥離される菌体のみで十分量の菌体が剥離され、上記のごとく沈殿させて分離することが可能である。しかし、揮発性有機化合物の付加量がある程度を超えると、通常の散水で剥離される菌体の量が余剰菌体の発生量に満たず、余剰菌体の一部が充填層内に蓄積し、結果として充填層が閉塞する。これを防止するために、効果的な菌体剥離方法が必要である。
菌体の剥離方法として、散水時に水の流れに対して並行流（下降流）の高いガス流を与えることにより高い剥離効果が得られることが明らかになった。ガスの流速と菌体を押し流す効果は主に生物担体の性状によって左右される。
【００２０】
この際、高いガス流を与えるためのガスは外気を取り入れることもできるし、処理ガス１０の一部を返送することもできる。ただし、外気を取り入れる場合、流入ガス８は外気によって希釈され、濃度が低下する。そしてガスの風量が増加するため、ガスの滞留時間が短縮されるため揮発性有機化合物の除去率が低下し、装置から排出されるガス量が増加するなどの事態が発生する。一方、処理ガスの一部を返送する場合、滞留時間は変化しないだけでなく、ガスと充填材との接触機会が増すため、除去率は改善される可能性がある。特に微生物担体の比表面積が低く、揮発性有機化合物と微生物の接触頻度が低い場合、循環による除去能力の改善効果が期待できる。
【００２１】
また、ガスを循環させると、充填層内の揮発性有機化合物濃度が均一化される。一方、ガスを一過式で流すと、揮発性有機化合物は入口付近で高く、出口付近に向かって低下する。そのため、入口付近では、菌体が多量に増殖し、閉塞し易い。一方、ガス循環を行うと、充填層内における揮発性有機化合物の濃度勾配が低減され、菌体の偏在が防止され、その結果閉塞が防止される。
発明者はスポンジ状の生物担体を用いて、１００ppm のトルエンを空塔速度５００ｈ-1の条件で処理した。このとき、充填層内の最適菌体濃度は１３〜１７kg−乾燥菌体／m3−充填層容積程度であることを示すデータが得られた。
発明者らはスポンジ状の生物担体を用い、平常時は空塔線速度０．０７m/secの条件で運転し、洗浄時に０．２m/secのガスを下降流で流すことによって菌体の剥離を促進させた。
【００２２】
また、本発明の通常の排ガスの生物学的処理方法及び装置として、図２に示すように、充填層を２つに仕切り、片側を下降流とし、もう一方を上向流とし、流入ガスを下降流または上向流で充填層を通過させた後、上向流または下降流で充填層を通過させ、ガスの一部を排出し、残りを流入ガスと混合し、再度下降流または上向流で充填層を通過させることにより、無駄な配管が減少し、装置をコンパクト化できる。
図２は上記の排ガスの生物学的処理装置の一例の断面図である。
充填層を充填層Ａ１と充填層Ｂ１６とに分割し、それぞれの充填層を上向流及び下降流で流す。順回転に示すように、送風機６でガスを循環させると、充填層Ａは上向流、充填層Ｂは下降流となる。この状態で通気すると、流入ガス８はまず充填層Ａを通過する。
従って、充填層Ａ１は充填層Ｂ１６と比べて負荷量が高いため、多量の菌体が増殖し、閉塞により圧力損失が上昇する。そこで、逆回転に切り換えると、充填層Ａは下降流となり、付着汚泥が剥離される。一方、流入ガスはまず充填層Ｂを通過するようになり、通気を継続すると、充填層Ｂが閉塞する。そこで、順回転に切り換える。これを繰り返して運転する。
【００２３】
以下、本発明を実施例により更に具体的に説明するが、勿論本発明の範囲は、この実施例のみに限定されるものではない。
〔実施例１〕
充填層はスポンジ担体（形状：１２．５mm×１２．５mm×１０mmの立方体、セル数：１０mm中に１３個）を高さ５００mm充填した。この充填層下の貯水槽に工度排水処理場の活性汚泥液を添加して、この貯水槽の活性汚泥液をくみ上げて充填材上部から散水して、充填材に微生物を付着させた。散水は２０分毎に２分間１１０ml−水／リットル−ガスの条件で行った。また、貯水槽には培溶液を供給した。培溶液は水道水に尿素１５０mg／リットル、りん酸水素二ナトリウム１０．２mg／リットル及び硫酸第一鉄５．４mg／リットルを添加した。この液を充填層容積１リットル当り９リットル／day の流量で供給した。市販のトルエンに窒素ガスをばっ気してトルエン含有ガスを発生させ、コンプレッサーで供給した空気と混合して、約１００ppmのトルエン含有模擬排ガスを調製した。このガスを充填層上に設置した流入ガス口から空塔速度５００ｈ-1（１５リットル/min）の流速で供給した。
【００２４】
上記の条件で、連続的に運転を続けた結果、トルエン除去率が次第に上昇し、４２日後に５９％の除去率が得られた。その際、充填層入口と出口の圧力損失もしだいに上昇し、８mmH2O/0.5mに達していた。その後、１４日間に渡って除去率はほぼ一定し４８％〜５９％の間で推移した。その間、圧力損失はさらに上昇し、２４mmH2O/0.5mに達した。ここで、充填層の下に設置した循環ガス出口から循環ガスを吸引し、４５リットル/minの流速で充填層上に設置した循環ガス入り口に戻した。すなわち、ガスの循環によって、水の流れ方向と同一の高い流速を与えた。その結果、圧力損失は９９mmH2O/0.5mを示した（充填層内の線流速が通常の５倍になるため、圧力損失が上昇する）。そして循環を８時間継続した結果、４２mmH2O/0.5mまで低下した。ここで、循環を停止した結果、圧力損失は７mmH2O/0.5mを示した。その後、週１回程度の循環を行うことにより、以降６５日間に渡って、圧力損失を５から１２mmH2O/0.5mの範囲に維持することができ、トルエン除去率を４６〜５９％の範囲で維持できた。
【００２５】
対照として、ガスの循環を行わないことを除いて、同一条件で実験装置を連続運転した結果、８３日目に充填層の圧力損失が１２３mmH2O/0.5mに上昇し、除去率が２３％に低下した。すなわち、充填層が閉塞し、除去率が低下した。
【００２６】
流入ガスと処理ガス中の処理対象物質濃度を検知し、除去された揮発性有機化合物量に基づいて余剰菌体発生量を算出し、その値と菌体の排出量が一致するように維持する方法について検証した結果を記す。
菌体濃度一定のとき、余剰菌体発生量は前記（１）式で算出した。
上記の実験で、最大の除去率５９％を示した時の菌体濃度（Ｘ）は１３kg−乾燥菌体／m3−充填層容積であった。従って、この菌体濃度が最適濃度であると考えられる。
このときトルエン除去量（Ｓｒ）は２．６８kg/m3・ day であった。
また、排出された菌体を用いて菌体転換率（ｅ）及び自己酸化率（ｆ）を明らかにした結果、それぞれ０．６７及び０．０４５であった。
以上の値を用いて余剰菌体発生量を計算したところ、余剰菌体発生量（ΔＸ）は１．２kg−乾燥菌体／m3−充填層容積・day となった。
この値が最適な余剰菌体発生量であると考えられる。
【００２７】
【発明の効果】
以上説明したように、本発明の排ガスの生物学的処理方法及び装置は、水の流れ方向と同一方向にガス流を与えることにより、充填層に付着した菌体の剥離を促進し、菌体濃度を一定に保つことにより、長期間において充填層の閉塞を防止しながら、揮発性有機化合物及び／又は高い除去率を維持できることが確認され、極めて高い実用性を有するものである。
【図面の簡単な説明】
【図１】本発明の生物学的処理装置の系統説明図の一例を示す。
【図２】充填層を２つに仕切り、ガスを下降流と上昇流の双方に通過させる生物学的処理装置の系統説明図である。
【図３】充填層の閉塞による圧力損失とトルエン除去速度との関係を示す。
【符号の説明】
１  充填層または充填層Ａ
２  充填塔
３  散水装置
４  循環ガス出口
５  循環ガス
６  送風機
７  循環ガス入り口
８  流入ガス
９  流入ガス入り口
１０  処理ガス
１１  処理ガス出口
１２  貯水槽
１３  培溶液
１４  排水口
１５  余剰菌体
１６  充填層Ｂ
【図１】
0004015285.tif 000002
【図２】
0004015285.tif 000003
【図３】
0004015285.tif 000004